(57)【要約】【課題】各需要家において、商用電源に接続される主幹漏電ブレーカと負荷との間に介設され、水回りなどで使用されるために漏電検出機能を有し、壁面埋込みのコンセント、テーブルタップ型のコンセント、或いは電気機器に内蔵のコンセントなどとして実現される配線器具において、接地線の断線（浮き）による感電を未然に防止する。【解決手段】漏電判定部２７は零相変流器２５からの出力で漏電検出を行い、制御部２８を介して開閉部２２にトリップ信号を与え、主幹漏電ブレーカ３と負荷６との間を遮断するようにした漏電検出機能付きの配線器具２１において、接地極が設けられる場合、接地線３２の断線（浮き）を検出すると、制御部２８から開閉部２２にトリップ信号を与える接地線接続監視部３３をさらに設ける。したがって、接地線接続を要求する負荷６において、筐体部などに漏電が発生していた場合でも、感電を未然に防止することができる。【選択図】図１
2009245791.tif 000002
【特許請求の範囲】
【請求項１】
各需要家における主幹漏電ブレーカと負荷部との間に介設され、漏電電流を検出する零相変流器と、前記零相変流器の出力から漏電の有無を判定する漏電判定部と、前記漏電判定部からの出力に応答し、漏電が発生している場合に前記主幹漏電ブレーカと負荷部との間を遮断する開閉部とを備える配線器具において、
接地線が接続されているか否かを判定し、前記接地線の断線が検出されると、前記開閉部を遮断させる接地線接続監視部を備えることを特徴とする配線器具。
【請求項２】
前記接地線接続監視部は、さらに中性線と電源線との誤結線を検出することを特徴とする請求項１記載の配線器具。
【請求項３】
前記接地線接続監視部は、電源線と接地線との間の電圧から、前記接地線が接続されているか否かの判定を行うことを特徴とする請求項１または２記載の配線器具。
【請求項４】
前記接地線接続監視部は、前記電源線から接地線に検出電流を流し、検出電流の流れる経路から、前記接地線が接続されているか否かの判定を行うことを特徴とする請求項１記載の配線器具。
【請求項５】
前記接地線接続監視部は、前記中性線から接地線にも検出電流を流し、検出電流の流れる経路から、前記中性線と電源線との誤結線も検出することを特徴とする請求項４記載の配線器具。
【請求項６】
前記接地線接続監視部は、前記検出電流を、内蔵の制御用電源から作成することを特徴とする請求項４または５記載の配線器具。
【請求項７】
前記検出電流は、高周波の電流であることを特徴とする請求項６記載の配線器具。
【請求項８】
前記接地線接続監視部は、コンデンサカップリングによって前記接地線と前記電源線との間が接続されていることを特徴とする請求項１〜４のいずれか１項に記載の配線器具。
【請求項９】
電源線間の入力電圧を検出し、その検出結果に対応して、前記接地線接続監視部における接地線の断線検出の閾値を変化させる入力電圧検出部をさらに備えることを特徴とする請求項１〜８のいずれか１項に記載の配線器具。
【請求項１０】
前記接地線接続監視部は間欠動作することを特徴とする請求項１〜９のいずれか１項に記載の配線器具。
【発明の詳細な説明】
【技術分野】
【０００１】
本発明は、コンセントやテーブルタップなどとして実現される配線器具に関し、特に漏電検出機能を備えるものに関する。
【背景技術】
【０００２】
住戸や事業所などの各需要家において、現在の電力線の引込みは、図９に示すように、分電盤１内で商用電源（適宜自家発電電源を備えることもある）２に接続される主幹漏電ブレーカ３から複数の分岐ブレーカ４に分岐され、前記分電盤１を出た配電線５が負荷６に接続されることで行われている。前記主幹漏電ブレーカ３は、内線規定で、漏電ブレーカとすることが定められている。そして、各配電線５と負荷６との間に介在される壁面埋込みのコンセント、テーブルタップ型のコンセント、或いは電気機器に内蔵のコンセントなどとして実現される配線器具７において、電気的安全確保の見地から、前記内線規定では、水周りや屋外で使用される配線器具には、漏電検出機能を備えるものを使用することが示されている。
【０００３】
図９の配線器具７では、前記配電線５から負荷６の間に開閉部８および零相変流器（ＺＣＴ）９が設けられ、電源部１０で作成された制御用電源で制御回路１１が動作し、前記零相変流器９の図示しない２次巻線の端子間に接続された抵抗の端子間電圧を測定することで漏電電流を検出し、その検出結果から所定量以上の漏電が検知されると、前記開閉部８を遮断するようになっている。このような漏電検出機能付きの配線器具７は、たとえば特許文献１で示されている。
【特許文献１】特開２００６−４８９５８号公報
【発明の開示】
【発明が解決しようとする課題】
【０００４】
上述の従来技術では、漏電を検知し、前記開閉部８を遮断する保護動作を行うことで、或る程度の安全性を確保することができる。一方、前述のように水回りや屋外で使用される負荷６には、接地極が設けられていることがあり、上述のような配線器具７でも、そのような負荷６に対応するために、接地極が設けられているものがある。しかしながら、工事ミスで、或いは何らかの不具合で、接地線が正しく接続されていないと、接地線接続を要求する負荷６において、該負荷６の筐体部などに漏電が発生している状態で人体が筐体に触れると、感電が生じる可能性がある。
【０００５】
本発明の目的は、接地線の断線を検出することができる漏電検出機能付きの配線器具を提供することである。
【課題を解決するための手段】
【０００６】
本発明の配線器具は、各需要家における主幹漏電ブレーカと負荷部との間に介設され、漏電電流を検出する零相変流器と、前記零相変流器の出力から漏電の有無を判定する漏電判定部と、前記漏電判定部からの出力に応答し、漏電が発生している場合に前記主幹漏電ブレーカと負荷部との間を遮断する開閉部とを備える配線器具において、接地線が接続されているか否かを判定し、前記接地線の断線が検出されると、前記開閉部を遮断させる接地線接続監視部を備えることを特徴とする。
【０００７】
上記の構成によれば、住戸や事業所などの各需要家において、商用電源に接続される（自家発電電源を備えることもある）主幹漏電ブレーカと負荷部との間に介設され、漏電検出機能を有し、壁面埋込みのコンセント、テーブルタップ型のコンセント、或いは電気機器に内蔵のコンセントなどとして実現される配線器具において、接地線接続監視部をさらに設け、その接地線接続監視部は、たとえば単相１００Ｖの場合で、ホット側の電源線と接地線との間の電圧を測定することで、或いは単相２００Ｖの場合は、何れか一方の電源線と接地線との間の電圧を測定することで、接地線が接続されているか否かを判定し、前記接地線の断線（浮き）が検出されると、開閉部にトリップ信号を与え、該開閉部が前記主幹漏電ブレーカと負荷部との間を遮断する。
【０００８】
したがって、水回りなどで使用され、漏電検出による負荷遮断機能を有する配線器具において、接地極を設けるにあたって、接地線に不用意な断線（浮き）が発生し、該接地極が本来の機能を発揮できなくなった場合にも負荷遮断を行うので、接地線接続を要求する負荷において、負荷の筐体部などに漏電が発生していた場合でも、感電を未然に防止することができる。
【０００９】
また、本発明の配線器具では、前記接地線接続監視部は、さらに中性線と電源線との誤結線を検出することを特徴とする。
【００１０】
上記の構成によれば、電源線の一方が中性線となる単相１００Ｖの場合は、その中性線と電源線（ホット側）との接続を間違い易いので、前記のように電源線（と思われる一方の側）と中性線（と思われる他方の側）との間の電圧および電源線と接地線との間の電圧を測定し、測定結果を比較することで（それぞれ略１００Ｖが出ると正しく結線されており、一方が０Ｖ近くであると中性線と電源線（ホット側）とが入れ替わっていると判定する）、それらの配線ミスも検出することができる。こうして、配線器具への配電線の接続が正常になされていることを確認できるので、前述のような接地線接続による感電保護以外に、漏電テスト機能など、当該器具に備えられる機能が誤結線によって機能しない等の不良動作を回避することができる。
【００１１】
さらにまた、本発明の配線器具では、前記接地線接続監視部は、電源線と接地線との間の電圧から、前記接地線が接続されているか否かの判定を行うことを特徴とする。
【００１２】
上記の構成によれば、前記電源線間と接地線との電圧監視で、前記のように接地線が接続されているか否かの判定を行うので、結線状態を比較的簡単な電圧検出回路で検出可能となる。
【００１３】
また、本発明の配線器具では、前記接地線接続監視部は、前記電源線から接地線に検出電流を流し、検出電流の流れる経路から、前記接地線が接続されているか否かの判定を行うことを特徴とする請求項１記載の配線器具。
【００１４】
上記の構成によれば、負荷の接地状態や外来ノイズに対して影響を受けにくく、安定に動作し、誤検出しにくくなる。
【００１５】
さらにまた、本発明の配線器具では、前記接地線接続監視部は、前記中性線から接地線にも検出電流を流し、検出電流の流れる経路から、前記中性線と電源線との誤結線も検出することを特徴とする。
【００１６】
上記の構成によれば、接地線の断線（浮き）だけでなく、電源線の一方が中性線となる単相１００Ｖの場合に、間違い易いその中性線と電源線（ホット側）との誤結線も検出することができ、安全性および信頼性を向上することができる。
【００１７】
また、本発明の配線器具では、前記接地線接続監視部は、前記検出電流を、内蔵の制御用電源から作成することを特徴とする。
【００１８】
上記の構成によれば、前記検出電流として、商用電源からの電流をそのまま用いるのではなく、一旦内蔵の制御用電源で直流化された電流や、それから作成された高周波電流など任意に作成された電流を用いることができ、検出精度を向上することができるとともに、前記検出電流を主幹漏電ブレーカの漏電検出対象から外し、該検出電流による主幹漏電ブレーカの漏電電流感度のずれを回避することもできる。また、商用電源の電源電圧に依存した検出電流とならないので、異なる電源電圧、たとえば１００Ｖと２００Ｖとで、検出回路を共用化することができる。
【００１９】
さらにまた、本発明の配線器具では、前記検出電流は、高周波の電流であることを特徴とする。
【００２０】
上記の構成によれば、高周波電流は主幹漏電ブレーカの検出感度が鈍い領域であるので、検出精度を高めるために比較的大きな検出電流を流しても、主幹漏電ブレーカを誤動作させることなく、接地線や中性線の接続監視が可能となる。
【００２１】
また、本発明の配線器具では、前記接地線接続監視部は、コンデンサカップリングによって前記接地線と前記電源線（および中性線）との間が接続されていることを特徴とする。
【００２２】
上記の構成によれば、前記のコンデンサを高耐電圧の素子とすることで、該接地線接続監視部を設けても、接地線と電源線との間に、商用電源周波数では耐圧を維持でき、またノイズなどの高周波成分に対しては前記コンデンサをフィルタとして動作させることが可能となる。
【００２３】
さらにまた、本発明の配線器具は、電源線間の入力電圧を検出し、その検出結果に対応して、前記接地線接続監視部における接地線の断線検出の閾値を変化させる入力電圧検出部をさらに備えることを特徴とする。
【００２４】
上記の構成によれば、断線検出対象点の電位が電源電圧に依存する回路方式であっても、検出閾値を電源電圧に対応した値に変化させることで、安定して接地線の断線（浮き）を監視することができる。
【００２５】
また、本発明の配線器具では、前記接地線接続監視部は間欠動作することを特徴とする。
【００２６】
上記の構成によれば、前記の接地線の断線（浮き）は、その現象が発生したり解消したりを繰返すものではなく、また過電流のように直ちに高い危険を招くものではなく、適当な時間間隔で監視を行うことで、監視動作に対する消費電力を削減することができる。
【発明の効果】
【００２７】
本発明の配線器具は、以上のように、各需要家において、商用電源に接続される主幹漏電ブレーカと負荷部との間に介設され、漏電検出機能を有し、壁面埋込みのコンセント、テーブルタップ型のコンセント、或いは電気機器に内蔵のコンセントなどとして実現される配線器具において、接地線の断線（浮き）を検出すると、開閉部にトリップ信号を与え、前記主幹漏電ブレーカと負荷部との間を遮断させる接地線接続監視部をさらに設ける。
【００２８】
それゆえ、水回りなどで使用され、漏電検出による負荷遮断機能を有する配線器具において、接地極を設けるにあたって、接地線に不用意な断線（浮き）が発生し、該接地極が本来の機能を発揮できなくなった場合にも負荷遮断を行うので、接地線接続を要求する負荷において、負荷の筐体部などに漏電が発生していた場合でも、感電を未然に防止することができる。
【００２９】
また、本発明の配線器具は、以上のように、中性線と電源線との誤結線も検出する。
【００３０】
それゆえ、配線器具への配電線の接続が正常になされていることを確認できるので、前述のような接地線接続による感電保護以外に、漏電テスト機能など、当該器具に備えられる機能が誤結線によって機能しない等の不良動作を回避することができる。
【００３１】
さらにまた、本発明の配線器具は、以上のように、電源線と接地線との間の電圧から、前記接地線が接続されているか否かの判定を行う。
【００３２】
それゆえ、結線状態を比較的簡単な電圧検出回路で検出可能となる。
【００３３】
また、本発明の配線器具は、以上のように、さらに中性線と電源線との誤結線を検出する。
【００３４】
それゆえ、前述のような接地線接続による感電保護以外に、漏電テスト機能など、当該器具に備えられる機能が誤結線によって機能しない等の不良動作を回避することができる。
【００３５】
また、本発明の配線器具は、以上のように、前記電源線から接地線に検出電流を流し、検出電流の流れる経路から、前記接地線が接続されているか否かの判定を行う。
【００３６】
それゆえ、負荷の接地状態や外来ノイズに対して影響を受けにくく、安定に動作し、誤検出しにくくなる。
【００３７】
さらにまた、本発明の配線器具は、以上のように、前記中性線から接地線にも検出電流を流し、検出電流の流れる経路から、前記中性線と電源線との誤結線も検出することを特徴とする。
【００３８】
それゆえ、接地線の断線（浮き）だけでなく、電源線の一方が中性線となる単相１００Ｖの場合に、間違い易いその中性線と電源線（ホット側）との誤結線も検出することができ、安全性および信頼性を向上することができる。
【００３９】
また、本発明の配線器具は、以上のように、前記検出電流として、商用電源からの電流をそのまま用いるのではなく、一旦内蔵の制御用電源で直流化された電流や、それから作成された高周波電流など任意に作成された電流を用いる。
【００４０】
それゆえ、検出精度を向上することができるとともに、前記検出電流を主幹漏電ブレーカの漏電検出対象から外し、該検出電流による主幹漏電ブレーカの漏電電流感度のずれを回避することもできる。また、商用電源の電源電圧に依存した検出電流とならないので、異なる電源電圧、たとえば１００Ｖと２００Ｖとで、検出回路を共用化することができる。
【００４１】
さらにまた、本発明の配線器具は、以上のように、前記検出電流を主幹漏電ブレーカの検出感度が鈍い高周波の電流とする。
【００４２】
それゆえ、検出精度を高めるために比較的大きな検出電流を流しても、主幹漏電ブレーカを誤動作させることなく、接地線や中性線の接続監視が可能となる。
【００４３】
また、本発明の配線器具は、以上のように、前記接地線接続監視部は、コンデンサカップリングによって前記接地線と前記電源線との間を接続する。
【００４４】
それゆえ、前記のコンデンサを高耐電圧の素子とすることで、該接地線接続監視部を設けても、接地線と電源線との間に、商用電源周波数では耐圧を維持でき、またノイズなどの高周波成分に対しては前記コンデンサをフィルタとして動作させることが可能となる。
【００４５】
さらにまた、本発明の配線器具は、以上のように、電源線間の入力電圧を検出し、その検出結果に対応して、前記接地線接続監視部における接地線の断線検出の閾値を変化させる入力電圧検出部をさらに設ける。
【００４６】
それゆえ、断線検出対象点の電位が電源電圧に依存する回路方式であっても、検出閾値を電源電圧に対応した値に変化させることで、安定して接地線の断線（浮き）を監視することができる。
【００４７】
また、本発明の配線器具は、以上のように、前記の接地線の断線（浮き）は、その現象が発生したり解消したりを繰返すものではなく、また過電流のように直ちに高い危険を招くものではないので、前記接地線接続監視部は間欠動作する。
【００４８】
それゆえ、適当な時間間隔で監視を行うことで、監視動作に対する消費電力を削減することができる。
【発明を実施するための最良の形態】
【００４９】
［実施の形態１］
図１は、本発明の実施の第１の形態に係る漏電検出機能付き配線器具２１の電気的構成を示すブロック図である。この配線器具２１は、前述の図９で示す分電盤１から延びる配電線５の末端において、壁面埋込みのコンセント、テーブルタップ型のコンセント、或いは電気機器に内蔵のコンセントなどとして実現され、洗濯機等の負荷６へ給電を行い、漏電が発生すると、後述するようにして負荷遮断を行うものである。そのため、この配線器具２１は、前記配電線５に接続される開閉部２２と、前記開閉部２２からの配電線２３，２４に介在される零相変流器（ＺＣＴ）２５と、前記配電線２３，２４から制御用電源を取出す電源部２６と、前記電源部２６で得られた制御用電源で動作し、前記零相変流器２５の出力から漏電判定を行う漏電判定部２７と、前記漏電判定部２７によって漏電が検出されると、前記開閉部２２を遮断する制御部２８とを備えて構成される。
【００５０】
前記電源部２６は、ダイオードブリッジおよび安定化電源回路などを備えて構成され、制御用電源に前記開閉部２２を動作させるための駆動用電源を作成し、各部へ給電する。前記開閉部２２は、前記配電線５に直列に接続される接点機構２９ａ，２９ｂと、前記電源部２６からの制御用電源が与えられる操作（励磁）コイル３０およびスイッチ素子３１の直列回路とを備えて構成される。前記スイッチ素子３１は、後述する前記制御部２７からのトリップ信号に応答して導通するトランジスタなどから成り、このスイッチ素子３１が導通すると、前記電源部２６から釈放リレーである前記操作（励磁）コイル３０に励磁電流が流れ、前記接点機構２９ａ，２９ｂのラッチ状態が解除され、接点間が開放する。
【００５１】
上述のように構成される漏電検出機能付きの配線器具２１において、注目すべきは、本実施の形態では、該配線器具２１には、接地線３２に接続される接地極が設けられており、その接地線３２が接続されているか否かを判定する接地線接続監視部３３がさらに設けられていることである。この接地線接続監視部３３は、この図１のように単相１００Ｖの場合は、ホット側の電源線である前記配電線２３と前記接地線３２との間の電圧を測定し、電圧が出なければ、前記接地線３２が該配線器具２１より商用電源２側で断線している（浮いている）と判定し、前記制御部２８に開閉部２２へトリップ信号を出力させ、該開閉部２２が前記主幹漏電ブレーカ３と負荷６との間を遮断する。単相２００Ｖの場合は、いずれか一方の電源線と接地線３２との間の電圧を測定すればよい。
【００５２】
本実施の形態では、前記接地線接続監視部３３は、前記配電線２３と接地線３２との間に接続される分圧抵抗Ｒ１，Ｒ２と、前記電源部２６からの前記制御用電源で動作し、前記の分圧電圧を測定し、所定の閾値に達しなければ、接地線３２が断線している（浮いている）と判定する電圧監視部３４とを備えて構成される。
【００５３】
このように構成することで、水回りなどで使用され、漏電検出による負荷遮断機能を有する配線器具２１において、接地極を設けるにあたって、接地線３２に不用意な断線（浮き）が発生し、該接地極が本来の機能を発揮できなくなった場合にも負荷遮断を行うので、接地線３２の接続を要求する負荷６において、負荷６の筐体部などに漏電が発生していた場合でも、感電を未然に防止することができる。なお、負荷遮断を行うだけでなく、該配線器具２１にブザーやランプを設け、前記制御部２８がそれらを介して、接地線３２の断線や漏電をユーザに報知するようにしてもよい。
【００５４】
また、前記接地線接続監視部３３を、分圧抵抗Ｒ１，Ｒ２と、電圧監視部３４とで構成することで、接地線３２が接続されているか否かの結線状態を比較的簡単な電圧検出回路で検出可能となる。
【００５５】
［実施の形態２］
図２は、本発明の実施の第２の形態に係る漏電検出機能付き配線器具４１の電気的構成を示すブロック図である。この配線器具４１は、前述の配線器具２１に類似し、対応する部分には同一の参照符号を付して示し、その説明を省略する。注目すべきは、この配線器具４１では、電源線である配電線２３と、中性線である配電線２４との間の電圧を検出するもう１つの接続監視部４３が設けられており、制御部４８は、２つの接続監視部３３，４３での検出電圧から、それらの誤結線が生じていないかを判定し、誤結線が生じていると、前記開閉部２２を遮断することである。
【００５６】
ここで、本実施の形態のように電源線の一方（配電線２４）が中性線となる単相１００Ｖの場合は、その中性線と電源線（ホット側（配電線２３））との接続を間違い易いので、前記のように電源線と思われる一方の側（配電線２３）と中性線と思われる他方の側（配電線２４）との間の電圧および電源線（ホット側（配電線２３））と接地線３２との間の電圧を測定し、測定結果を比較することで、それぞれ略１００Ｖが出ると正しく結線されており、一方が０Ｖ近くである（前記のように電圧が出ない）と中性線と電源線（ホット側）とが入れ替わっていると判定することができ、配線ミスを検出し、安全性および信頼性を向上することができる。こうして、該配線器具４１への配電線２３，２４の接続が正常になされていることを確認できるので、前述のような接地線３２の接続による感電保護以外に、漏電テスト機能など、当該器具に備えられる機能が誤結線によって機能しない等の不良動作を回避することができる。
【００５７】
［実施の形態３］
図３は、本発明の実施の第３の形態に係る漏電検出機能付き配線器具５１の電気的構成を示すブロック図である。この配線器具５１は、前述の配線器具２１に類似し、対応する部分には同一の参照符号を付して示し、その説明を省略する。この配線器具５１では、接地線接続監視部５３は、前記電源線である配電線２３から接地線３２に検出電流を流す前記分圧抵抗Ｒ１，Ｒ２と、前記分圧抵抗Ｒ１，Ｒ２の接続点と前記中性線である配電線２４との間に接続される抵抗およびコンデンサＣ１の直列回路と、前記コンデンサＣ１と並列に設けられるツェナダイオードＺＤ１と、前記コンデンサＣ１の充電電圧を検出する電圧監視部５４とを備えて構成される。
【００５８】
注目すべきは、この配線器具５１では、前記抵抗Ｒ３，Ｒ２の抵抗値は、Ｒ３≫Ｒ２に設定されており、したがって前記接地線３２が接続されている場合にはコンデンサＣ１への充電電流が流れずに該コンデンサＣ１の充電電圧が低く、前記接地線３２に断線（浮き）が生じると、検出電流の流れる経路が変わり、前記コンデンサＣ１への充電電流が流れて該コンデンサＣ１の充電電圧が高くなり、前記電圧監視部５４は、このような電流経路の変化から断線（浮き）検出を行うことである。ツェナダイオードＺＤ１は、コンデンサＣ１の充電電圧が高くなりすぎないように設けられる保護素子である。なお、抵抗Ｒ３に代えて、ツェナダイオードなどが用いられてもよい。また、抵抗Ｒ３からの分岐の回路は、直接中性線である電源線２４に接続しなくても、回路のグランドに接続し、電源部２６を経由して電源線２４に接続しても同様の効果を得ることができる。
【００５９】
このように構成することで、負荷６の接地状態や外来ノイズに対して影響を受けにくくなり、安定に動作し、誤検出しにくくなる。
【００６０】
［実施の形態４］
図４は、本発明の実施の第４の形態に係る漏電検出機能付き配線器具６１の電気的構成を示すブロック図である。この配線器具６１は、前述の配線器具４１，５１に類似し、対応する部分には同一の参照符号を付して示し、その説明を省略する。この配線器具６１では、接地線接続監視部６３において、抵抗Ｒ２に代えて、ダイオードＤ１が用いられるとともに、注目すべきは、前述のように接地線３２の断線を検出するポイントとなるコンデンサＣ１の一端、すなわち電圧監視部６４の入力端が、抵抗Ｒ４およびダイオードＤ２を介して前記接地線３２に接続されていることである。前記ダイオードＤ２は、前記接地線３２側がアノードとなっている。
【００６１】
したがって、電源線である配電線２３と中性線である配電線２４とが正常に接続されている場合には、接地線３２が断線したときの動作は前述の配線器具５１の通りであるが、電源線である配電線２３と中性線である配電線２４とが誤って入れ違いに結線された場合には、図５の配電線２４と接地線３２との間に電源電圧が印加されることになり、コンデンサＣ１に充電が行われる。このコンデンサＣ１の充電電圧を監視することで、電圧監視部６４は、電源線と中性線との誤結線を検出可能となっている。
【００６２】
このように中性線から接地線３２にも検出電流を流し、検出電流の流れる経路から、前記中性線と電源線との誤結線も検出することができ、安全性および信頼性を向上することができる。
【００６３】
［実施の形態５］
図５は、本発明の実施の第５の形態に係る漏電検出機能付き配線器具７１の電気的構成を示すブロック図である。この配線器具７１は、前述の配線器具６１に類似し、対応する部分には同一の参照符号を付して示し、その説明を省略する。注目すべきは、この配線器具７１では、接地線接続監視部７３において、前記接地線３２への検出電流が、抵抗Ｒ１およびダイオードＤ１を介して、制御用電源を作成する内蔵の電源部２６から与えられることである。これに対応して、前記抵抗Ｒ１とダイオードＤ１との接続点がツェナダイオードＺＤ２を介してコンデンサＣ１に接続され、またコンデンサＣ１には並列に、放電用の抵抗Ｒ５が接続される。
【００６４】
したがって、接地線３２が接続されているときにはコンデンサＣ１へは充電電流は流れず、断線（浮き）が発生すると、電流経路が切り替わり、ツェナダイオードＺＤ２のツェナ電圧を超えてコンデンサＣ１に充電が行われ、電圧監視部７４はこれを監視する。
【００６５】
このように検出電流として商用電源２からの電流をそのまま用いるのではなく、一旦内蔵の電源部２６で直流化された電流を用いることで、電源電圧に依存しない任意に作成された電流を用いることができ、検出精度を向上することができるとともに、主幹漏電ブレーカ３が検出対象としない直流の電流を接地線３２に流すことで、該検出電流による主幹漏電ブレーカ３の漏電電流感度のずれを回避することもできる。また、商用電源２の電源電圧に依存した検出電流とならないことで、異なる電源電圧、たとえば１００Ｖと２００Ｖとで、検出回路である該接地線接続監視部７３を共用化し、汎用性を高めることができる。
【００６６】
［実施の形態６］
図６は、本発明の実施の第６の形態に係る漏電検出機能付き配線器具８１の電気的構成を示すブロック図である。この配線器具８１は、前述の配線器具７１に類似している。注目すべきは、この配線器具８１では、制御部８８内に、前記電源部２６からの制御用電源を受けて高周波の検出電流を作成する高周波信号発生部８９が設けられており、接地線接続監視部８３において、前記抵抗Ｒ１およびダイオードＤ１を介して、接地線３２へ供給される。電圧監視部８４は、その高周波の検出電流によるコンデンサＣ１の充電電圧から、前記接地線３２の断線（浮き）を検出する。
【００６７】
このように高周波電流を用いることで、該高周波電流は主幹漏電ブレーカ３の検出感度が鈍い領域であるので、検出精度を高めるために比較的大きな検出電流を流しても、主幹漏電ブレーカ３を誤動作させることなく、接地線３２の接続監視が可能となる。
【００６８】
［実施の形態７］
図７は、本発明の実施の第７の形態に係る漏電検出機能付き配線器具９１の電気的構成を示すブロック図である。この配線器具９１は、前述の配線器具５１に類似している。注目すべきは、この配線器具５１では、接地線接続監視部９３において、電源線である配電線２３がコンデンサＣ２で接地線３２とカップリングされていることである。そして、このコンデンサＣ２は、比較的耐圧の高いもので構成される。
【００６９】
このように構成することで、商用電源周波数では、接地線３２に対し電源線の耐圧を維持することができ、ノイズなどの高周波に成分に対してはフィルタとして動作させることもできる。
【００７０】
［実施の形態８］
図８は、本発明の実施の第８の形態に係る漏電検出機能付き配線器具１０１の電気的構成を示すブロック図である。この配線器具１０１は、前述の配線器具２１に類似している。注目すべきは、この配線器具２１では、電源線２３，２４間の入力電圧を検出し、その検出結果に対応して、接地線接続監視部１０３における電圧監視部１０４の断線検出の閾値を変化させる入力電圧検出部１０２をさらに備えることである。このように構成することで、断線検出対象点の電位が電源電圧に依存する回路方式であっても、検出閾値を電源電圧に対応した値に変化させることで、安定して接地線３２の断線（浮き）を監視することができる。
【００７１】
また、注目すべきは、前記電圧監視部１０４に関してインターバルタイマ１０５が設けられており、前記接地線３２接続監視を間欠動作で行うことである。ここで、前記の接地線３２の断線（浮き）は、その現象が発生したり解消したりを繰返すものではなく、また過電流のように直ちに高い危険を招くものではない。したがって、適当な時間間隔で監視を行うことで、監視動作に対する消費電力を削減することができる。
【００７２】
ところで、特開２００６−５３００６号公報には、接地極付きのコンセントにおいて、電圧極と中性極との間および電圧極と接地極との間に同一のインピーダンス素子を挿入して電圧を計測し、その電圧の比較結果から、中性極と接地極との配線の極性を容易にチェックできるようにしたものが示されている。しかしながら、この従来技術では、接地極の断線（浮き）が生じていてもそのままであるので、感電の虞がある。
【図面の簡単な説明】
【００７３】
【図１】本発明の実施の第１の形態に係る漏電検出機能付き配線器具の電気的構成を示すブロック図である。
【図２】本発明の実施の第２の形態に係る漏電検出機能付き配線器具の電気的構成を示すブロック図である。
【図３】本発明の実施の第３の形態に係る漏電検出機能付き配線器具の電気的構成を示すブロック図である。
【図４】本発明の実施の第４の形態に係る漏電検出機能付き配線器具の電気的構成を示すブロック図である。
【図５】本発明の実施の第５の形態に係る漏電検出機能付き配線器具の電気的構成を示すブロック図である。
【図６】本発明の実施の第６の形態に係る漏電検出機能付き配線器具の電気的構成を示すブロック図である。
【図７】本発明の実施の第７の形態に係る漏電検出機能付き配線器具の電気的構成を示すブロック図である。
【図８】本発明の実施の第８の形態に係る漏電検出機能付き配線器具の電気的構成を示すブロック図である。
【図９】住戸や事業所などへの一般的な電力線の引込みを説明するための図である。
【符号の説明】
【００７４】
１    分電盤
２    商用電源
３    主幹漏電ブレーカ
４    分岐ブレーカ
５；２３，２４    配電線
６    負荷６
２１，４１，５１，６１，７１，８１，９１，１０１    配線器具
２２    開閉部
２５    零相変流器（ＺＣＴ）
２６    電源部
２７    漏電判定部
２８，４８，８８    制御部
２９ａ，２９ｂ    接点機構
３０    スイッチ素子
３１    操作（励磁）コイル
３２    接地線
３３，４３，５３，６３，７３，８３，９３，１０３    接続監視部
３４，５４，６４，７４，８４    電圧監視部
８９    高周波信号発生部
１０２  入力電圧検出部
１０５  インターバルタイマ
Ｒ１〜Ｒ５    抵抗
Ｃ１，Ｃ２    コンデンサ
ＺＤ１，ＺＤ２    ツェナダイオード
Ｄ１，Ｄ２    ダイオード
【図１】
2009245791.tif 000003
【図２】
2009245791.tif 000004
【図３】
2009245791.tif 000005
【図４】
2009245791.tif 000006
【図５】
2009245791.tif 000007
【図６】
2009245791.tif 000008
【図７】
2009245791.tif 000009
【図８】
2009245791.tif 000010
【図９】
2009245791.tif 000011